(57)【要約】      （修正有）【課題】収納部に収納されている紙葉類を当該収納部から繰り出す繰出機構の異常状態が検出されたときに操作者がこの収納部から紙葉類を取り出す際の作業性を向上させることができる紙葉類処理装置および紙葉類処理方法を提供する。【解決手段】紙葉類処理装置（例えば、バラ紙幣処理装置）は、収納部（例えば、一括紙幣収納庫１４０や各金種別紙幣収納庫１４２）に収納されている紙葉類を当該収納部から繰り出す繰出機構（例えば、紙幣繰出部１４４）と、収納部に設けられ、当該収納部に収納されている紙葉類を繰出機構側に向かって押さえる押さえ部材１４３と、押さえ部材１４３の駆動を行う押さえ部材駆動部１４５と、繰出機構の異常状態が検出されたときに、収納部に収納されている紙葉類から押さえ部材１４３を離間させるよう押さえ部材駆動部１４５の制御を行う制御部とを備えている。【選択図】図４
2015184690.tif 000002
【特許請求の範囲】
【請求項１】
紙葉類を収納する収納部と、
前記収納部に収納されている紙葉類を当該収納部から繰り出す繰出機構と、
前記収納部に設けられ、当該収納部に収納されている紙葉類を前記繰出機構側に向かって押さえる押さえ部材と、
前記押さえ部材の駆動を行う駆動部と、
前記繰出機構の異常状態を検出する異常状態検出手段と、
前記異常状態検出手段により前記繰出機構の異常状態が検出されたときに、前記収納部に収納されている紙葉類から前記押さえ部材を離間させるよう前記駆動部の制御を行う制御部と、
を備えた、紙葉類処理装置。
【請求項２】
前記収納部は前記紙葉類処理装置の筐体から引き出し可能となっており、
前記制御部は、前記異常状態検出手段により前記繰出機構の異常状態が検出された後、前記紙葉類処理装置の前記筐体から前記収納部が引き出されたときに、前記収納部に収納されている紙葉類から前記押さえ部材を離間させるよう前記駆動部の制御を行うようになっている、請求項１記載の紙葉類処理装置。
【請求項３】
前記収納部には複数の紙葉類が積層状態で収納されるようになっており、
前記押さえ部材は、前記収納部に収納されている紙葉類を上方から押さえるようになっており、
前記駆動部は前記収納部における紙葉類の積み重ね方向に沿って前記押さえ部材を移動させるようになっており、
前記制御部は、前記異常状態検出手段により前記繰出機構の異常状態が検出されたときに、前記押さえ部材を上方に移動させるよう前記駆動部の制御を行う、請求項１または２記載の紙葉類処理装置。
【請求項４】
前記押さえ部材は、前記収納部における紙葉類の収納領域内に進出する進出位置と、前記収納領域から退避する退避位置との間で移動するようになっており、
前記制御部は、前記異常状態検出手段により前記繰出機構の異常状態が検出されたときに、前記押さえ部材を前記進出位置から前記退避位置に移動させるよう前記駆動部の制御を行う、請求項１乃至３のいずれか一項に記載の紙葉類処理装置。
【請求項５】
前記収納部には扉が設けられており、
前記扉が開かれた状態のときに前記収納部に対する紙葉類の出し入れを行うことができるようになっている、請求項１乃至４のいずれか一項に記載の紙葉類処理装置。
【請求項６】
前記収納部は前記紙葉類処理装置の筐体から引き出し可能となっており、
前記収納部を前記紙葉類処理装置の筐体から引き出した状態のときに前記扉を開くことができるようになっている、請求項５記載の紙葉類処理装置。
【請求項７】
前記扉には前記収納部の外部から内部を見るための窓部が設けられており、前記収納部に収納されている紙葉類を前記押さえ部材が押さえているか否かを前記収納部の外部から前記窓部を介して視認することができるようになっている、請求項５または６記載の紙葉類処理装置。
【請求項８】
前記収納部は複数設けられており、前記繰出機構は各前記収納部に対応して複数設けられており、
前記制御部は、前記異常状態検出手段により複数の前記繰出機構のうちある前記繰出機構の異常状態が検出されたときに、当該繰出機構に対応する前記収納部についてのみ当該収納部に収納されている紙葉類から前記押さえ部材を離間させるよう前記駆動部の制御を行う、請求項１乃至７のいずれか一項に記載の紙葉類処理装置。
【請求項９】
紙葉類を収納する収納部と、前記収納部に収納されている紙葉類を当該収納部から繰り出す繰出機構と、前記収納部に設けられ、当該収納部に収納されている紙葉類を前記繰出機構側に向かって押さえる押さえ部材と、前記押さえ部材の駆動を行う駆動部とを備えた紙葉類処理装置による紙葉類処理方法であって、
前記収納部に収納されている紙葉類を前記繰出機構により当該収納部から繰り出す工程と、
前記繰出機構の異常状態が検出されたときに、前記収納部に収納されている紙葉類から前記押さえ部材を離間させるよう前記駆動部により前記押さえ部材の駆動を行う工程と、
を備えた、紙葉類処理方法。
【発明の詳細な説明】
【技術分野】
【０００１】
本発明は、紙幣等の紙葉類の処理を行う紙葉類処理装置およびこのような紙葉類処理装置による紙葉類処理方法に関し、とりわけ、紙葉類を収納する収納部を備えた紙葉類処理装置およびこのような紙葉類処理装置による紙葉類処理方法に関する。
【背景技術】
【０００２】
紙幣の入出金処理等の様々な処理を行う紙幣処理装置において、機体内に投入された紙幣を金種別に収納するとともに収納された紙幣を繰出機構により繰り出し可能な複数の紙幣収納庫を備えたものが従来から知られている。このような紙幣処理装置に配設される紙幣収納庫として、例えば特許文献１に開示されるものが知られている。特許文献１に開示されるような従来技術の紙幣収納庫には、当該紙幣収納庫に積層状態で収納されている複数の紙幣を上方から押さえる押さえ部材が設けられており、このような押さえ部材により紙幣収納庫内で紙幣を上方から押さえることによって繰出機構による紙幣の繰り出しをスムーズに行うことができるようにしていた。
【先行技術文献】
【特許文献】
【０００３】
【特許文献１】特許第４０６００６２号
【発明の概要】
【発明が解決しようとする課題】
【０００４】
一般的な紙幣処理装置では、各紙幣収納庫から繰出機構により紙幣を繰り出す際に、当該繰出機構においてジャム等のトラブルが発生して紙幣収納庫から紙幣を繰り出すことができなくなった場合には、紙幣収納庫を紙幣処理装置の筐体から手前側に引き出して、問題のある繰出機構に対応する紙幣収納庫から紙幣を取り出すことによりこのような異常状態を解消しなければならなかった。しかしながら、紙幣収納庫に収納されている紙幣が押さえ部材により上方から押さえられている場合には、操作者は紙幣収納庫の扉を一方の片手で開いた状態に保持するとともに、もう一方の片手で押さえ部材を紙幣から上方に離間させるよう持ち上げながら当該紙幣収納庫から紙幣を取り出したり、あるいは、扉を一方の片手で開いて肘で開いた状態に保持し、一方の片手で押さえ部材を持ち上げながら他方の片手で紙幣を取り出したりと、作業性が悪いという問題があった。また、紙幣処理装置において、紙幣収納庫が金種別に複数設けられている場合には、操作者は各紙幣収納庫の扉を開けて問題のある繰出機構を探さなければならず、どの紙幣収納庫から紙幣を取り出さなければならないか一目で分からないという問題があった。
【０００５】
本発明は、このような点を考慮してなされたものであり、収納部に収納されている紙葉類を当該収納部から繰り出す繰出機構の異常状態が検出されたときに操作者がこの収納部から紙幣を取り出す際の作業性を向上させることができる紙葉類処理装置および紙葉類処理方法を提供することを目的とする。
【課題を解決するための手段】
【０００６】
本発明の紙葉類処理装置は、紙葉類を収納する収納部と、前記収納部に収納されている紙葉類を当該収納部から繰り出す繰出機構と、前記収納部に設けられ、当該収納部に収納されている紙葉類を前記繰出機構側に向かって押さえる押さえ部材と、前記押さえ部材の駆動を行う駆動部と、前記繰出機構の異常状態を検出する異常状態検出手段と、前記異常状態検出手段により前記繰出機構の異常状態が検出されたときに、前記収納部に収納されている紙葉類から前記押さえ部材を離間させるよう前記駆動部の制御を行う制御部と、を備えたことを特徴とする。
【０００７】
このような紙葉類処理装置によれば、異常状態検出手段により繰出機構の異常状態が検出されたときに、収納部に収納されている紙葉類から押さえ部材を離間させるよう駆動部が制御部により制御されるため、操作者が収納部から紙葉類を取り出す際に、収納部の扉を一方の片手で開いた状態に保持するとともに、もう一方の片手で収納部から紙葉類を取り出すことができるようになり、この操作者は押さえ部材を手動で移動させる必要がなくなるため、作業性を向上させることができる。
【０００８】
本発明の紙葉類処理装置においては、前記収納部は前記紙葉類処理装置の筐体から引き出し可能となっており、前記制御部は、前記異常状態検出手段により前記繰出機構の異常状態が検出された後、前記紙葉類処理装置の前記筐体から前記収納部が引き出されたときに、前記収納部に収納されている紙葉類から前記押さえ部材を離間させるよう前記駆動部の制御を行うようになっていてもよい。
【０００９】
本発明の紙葉類処理装置においては、前記収納部には複数の紙葉類が積層状態で収納されるようになっており、前記押さえ部材は、前記収納部に収納されている紙葉類を上方から押さえるようになっており、前記駆動部は前記収納部における紙葉類の積み重ね方向に沿って前記押さえ部材を移動させるようになっており、前記制御部は、前記異常状態検出手段により前記繰出機構の異常状態が検出されたときに、前記押さえ部材を上方に移動させるよう前記駆動部の制御を行うようになっていてもよい。
【００１０】
本発明の紙葉類処理装置においては、前記押さえ部材は、前記収納部における紙葉類の収納領域内に進出する進出位置と、前記収納領域から退避する退避位置との間で移動するようになっており、前記制御部は、前記異常状態検出手段により前記繰出機構の異常状態が検出されたときに、前記押さえ部材を前記進出位置から前記退避位置に移動させるよう前記駆動部の制御を行うようになっていてもよい。
【００１１】
本発明の紙葉類処理装置においては、前記収納部には扉が設けられており、前記扉が開かれた状態のときに前記収納部に対する紙葉類の出し入れを行うことができるようになっていてもよい。
【００１２】
この場合、前記収納部は前記紙葉類処理装置の筐体から引き出し可能となっており、前記収納部を前記紙葉類処理装置の筐体から引き出した状態のときに前記扉を開くことができるようになっていてもよい。
【００１３】
また、前記扉には前記収納部の外部から内部を見るための窓部が設けられており、前記収納部に収納されている紙葉類を前記押さえ部材が押さえているか否かを前記収納部の外部から前記窓部を介して視認することができるようになっていてもよい。
【００１４】
本発明の紙葉類処理装置においては、前記収納部は複数設けられており、前記繰出機構は各前記収納部に対応して複数設けられており、前記制御部は、前記異常状態検出手段により複数の前記繰出機構のうちある前記繰出機構の異常状態が検出されたときに、当該繰出機構に対応する前記収納部についてのみ当該収納部に収納されている紙葉類から前記押さえ部材を離間させるよう前記駆動部の制御を行うようになっていてもよい。
【００１５】
本発明の紙葉類処理方法は、紙葉類を収納する収納部と、前記収納部に収納されている紙葉類を当該収納部から繰り出す繰出機構と、前記収納部に設けられ、当該収納部に収納されている紙葉類を前記繰出機構側に向かって押さえる押さえ部材と、前記押さえ部材の駆動を行う駆動部とを備えた紙葉類処理装置による紙葉類処理方法であって、前記収納部に収納されている紙葉類を前記繰出機構により当該収納部から繰り出す工程と、前記繰出機構の異常状態が検出されたときに、前記収納部に収納されている紙葉類から前記押さえ部材を離間させるよう前記駆動部により前記押さえ部材の駆動を行う工程と、を備えたことを特徴とする。
【００１６】
このような紙葉類処理方法によれば、繰出機構の異常状態が検出されたときに、収納部に収納されている紙葉類から押さえ部材を離間させるよう駆動部により押さえ部材の駆動を行うため、操作者が収納部から紙葉類を取り出す際に、収納部の扉を一方の片手で開いた状態に保持するとともに、もう一方の片手で収納部から紙葉類を取り出すことができるようになり、この操作者は押さえ部材を手動で移動させる必要がなくなるため、作業性を向上させることができる。
【発明の効果】
【００１７】
本発明の紙葉類処理装置および紙葉類処理方法によれば、収納部に収納されている紙葉類を当該収納部から繰り出す繰出機構の異常状態が検出されたときに操作者がこの収納部から紙幣を取り出す際の作業性を向上させることができる。
【図面の簡単な説明】
【００１８】
【図１】本発明の実施の形態によるバラ紙幣処理装置を備えた貨幣処理機の構成を示す斜視図である。
【図２】本発明の実施の形態によるバラ紙幣処理装置の構成の概略を示す概略構成図である。
【図３】図２に示すバラ紙幣処理装置における制御系の構成を示す機能ブロック図である。
【図４】図２に示すバラ紙幣処理装置における紙幣収納庫や紙幣繰出部の構成を示す側面図である。
【図５】図２に示すバラ紙幣処理装置における紙幣投入部の構成を示す側面図である。
【図６】図２に示すバラ紙幣処理装置において筐体から下部ユニットおよび中間ユニットを一体的に引き出したときの状態を示す斜視図である。
【図７】図２に示すバラ紙幣処理装置において紙幣繰出部に異常が発生したときに表示部等に表示されるガイダンス画面を示す図である。
【図８】図２に示すバラ紙幣処理装置において紙幣繰出部に異常が発生したときに表示部等に表示されるガイダンス画面を示す図である。
【図９】図２に示すバラ紙幣処理装置の表示部等における最新の５０回分のリトライ動作のログの表示内容を示す図である。
【図１０】変形例に係るバラ紙幣処理装置における紙幣収納庫や紙幣繰出部の構成を示す側面図である。
【図１１】更なる変形例に係るバラ紙幣処理装置における紙幣収納庫や紙幣繰出部の構成を示す側面図である。
【発明を実施するための形態】
【００１９】
以下、図面を参照して本発明の実施の形態について説明する。図１乃至図９は、本実施の形態によるバラ紙幣処理装置およびこのバラ紙幣処理装置を備えた貨幣処理機を示す図である。このうち、図１は、本実施の形態によるバラ紙幣処理装置を備えた貨幣処理機の構成を示す斜視図であり、図２は、本実施の形態によるバラ紙幣処理装置の構成の概略を示す概略構成図である。また、図３は、図２に示すバラ紙幣処理装置における制御系の構成を示す機能ブロック図である。また、図４は、図２に示すバラ紙幣処理装置における紙幣収納庫や紙幣繰出部の構成を示す側面図であり、図５は、図２に示すバラ紙幣処理装置における紙幣投入部の構成を示す側面図である。また、図６は、図２に示すバラ紙幣処理装置において筐体から下部ユニットおよび中間ユニットを一体的に引き出したときの状態を示す斜視図であり、図７および図８は、それぞれ、図２に示すバラ紙幣処理装置において紙幣繰出部に異常が発生したときに表示部等に表示されるガイダンス画面を示す図である。また、図９は、図２に示すバラ紙幣処理装置の表示部等における最新の５０回分のリトライ動作のログの表示内容を示す図である。
【００２０】
まず、本実施の形態によるバラ紙幣処理装置３０を備えた貨幣処理機１の構成について図１を用いて説明する。図１に示す貨幣処理機１は出納機として用いられるようになっており、当該貨幣処理機１は、バラ硬貨の処理を行うバラ硬貨処理装置１０と、包装硬貨の処理を行う包装硬貨処理装置２０と、バラ紙幣の処理を行うバラ紙幣処理装置３０と、帯封紙幣の処理を行う帯封紙幣処理装置４０とを備えている。
【００２１】
図１に示すように、バラ硬貨処理装置１０の上面にはバラ硬貨入金口１２が設けられており、このバラ硬貨入金口１２に投入されたバラ硬貨はバラ硬貨処理装置１０の機体内に繰り出され、当該バラ硬貨処理装置１０の機体内にある識別部（図示せず）によりその金種、真偽、正損、新旧等が識別された後、バラ硬貨処理装置１０の機体内にある複数のバラ硬貨収納部（図示せず）に例えば金種毎に収納されるようになっている。また、バラ硬貨処理装置１０の前面にはバラ硬貨出金口１４が設けられており、貨幣処理機１にバラ硬貨の出金指令が与えられたときに、バラ硬貨処理装置１０の機体内にあるバラ硬貨収納部からバラ硬貨が繰り出されてバラ硬貨出金口１４に搬送されるようになっている。
【００２２】
また、図１に示すように、バラ硬貨処理装置１０の左隣には包装硬貨処理装置２０が設置されており、バラ硬貨処理装置１０から包装硬貨処理装置２０にバラ硬貨が送られるようになっている。包装硬貨処理装置２０において、バラ硬貨処理装置１０から送られたバラ硬貨は包装部（図示せず）において例えば５０枚単位で包装紙等により棒状となるよう包装され、この包装された包装硬貨は当該包装硬貨処理装置２０の機体内にある複数の包装硬貨収納部に例えば金種毎に収納されるようになっている。また、包装硬貨処理装置２０の前面上部には包装硬貨出金口２２が設けられており、貨幣処理機１に包装硬貨の出金指令が与えられたときに、包装硬貨処理装置２０の機体内にある包装硬貨収納部から包装硬貨が繰り出されて包装硬貨出金口２２に搬送されるようになっている。
【００２３】
また、図１に示すように、包装硬貨処理装置２０の左隣にはバラ紙幣処理装置３０が設置されており、このバラ紙幣処理装置３０の前面上部にはバラ紙幣をバラ紙幣処理装置３０の機体内に投入するためのバラ紙幣入金口３２が設けられているとともに、バラ紙幣処理装置３０の上面にはバラ紙幣を機体外に投出するためのバラ紙幣出金口３４が設けられている。バラ紙幣入金口３２に投入されたバラ紙幣はバラ紙幣処理装置３０の機体内にある入金識別部１１６（後述）によりその金種、真偽、正損、新旧等が識別された後、バラ紙幣処理装置３０の機体内にある一括紙幣収納庫１４０や各金種別紙幣収納庫１４２（後述）に例えば金種毎に収納されるようになっている。また、貨幣処理機１にバラ紙幣の出金指令が与えられたときに、バラ紙幣処理装置３０の機体内にある一括紙幣収納庫１４０や各金種別紙幣収納庫１４２からバラ紙幣が繰り出されてバラ紙幣出金口３４に搬送されるようになっている。
【００２４】
また、バラ紙幣処理装置３０の左隣には帯封紙幣処理装置４０が設置されており、バラ紙幣処理装置３０から帯封紙幣処理装置４０にバラ紙幣が送られるようになっている。帯封紙幣処理装置４０において、バラ紙幣処理装置３０から送られたバラ紙幣は帯封部（図示せず）において例えば１００枚単位で帯封紙等により帯封され、この帯封された帯封紙幣は当該帯封紙幣処理装置４０の機体内にある複数の帯封紙幣収納部に例えば金種毎に収納されるようになっている。また、帯封紙幣処理装置４０の前面上部には帯封紙幣出金口４２が設けられており、貨幣処理機１に帯封紙幣の出金指令が与えられたときに、帯封紙幣処理装置４０の機体内にある帯封紙幣収納部から帯封紙幣が繰り出されて帯封紙幣出金口４２に搬送されるようになっている。
【００２５】
なお、図１に示すような本実施の形態に係る貨幣処理機１では、これらのバラ硬貨処理装置１０、包装硬貨処理装置２０、バラ紙幣処理装置３０および帯封紙幣処理装置４０に加えて、例えば小切手や商品券等の現金以外の有価媒体の処理を行う有価媒体処理装置が並設されていてもよい。具体的には、このような有価媒体処理装置が例えば包装硬貨処理装置２０とバラ紙幣処理装置３０との間に設けられていてもよい。
【００２６】
また、図１に示すように、バラ硬貨処理装置１０の上面には例えばタッチパネル等からなる操作表示部５０が設けられている。このような操作表示部５０には、貨幣処理機１における貨幣の処理状況や、各処理装置１０、２０、３０、４０の収納部に収納されている貨幣の在高等に関する情報が表示されるようになっている。また、操作者は操作表示部５０により貨幣処理機１に対して様々な指令を与えることができるようになっている。
【００２７】
次に、バラ紙幣処理装置３０の構成の詳細について図２乃至図９を用いて説明する。
【００２８】
図２に示すように、バラ紙幣処理装置３０は略直方体形状の筐体１０２を有しており、このバラ紙幣処理装置３０には、バラ紙幣入金口３２に投入されたバラ紙幣を筐体１０２内に繰り出すための紙幣投入部１１０および筐体１０２内からバラ紙幣出金口３４を介して外部にバラ紙幣を投出するためのバラ紙幣投出部１５２がそれぞれ設けられている。より詳細には、バラ紙幣入金口３２およびバラ紙幣出金口３４にはそれぞれ紙幣投入部１１０やバラ紙幣投出部１５２の開閉を行うシャッタ３２ａ、３４ａが設けられており、これらのシャッタ３２ａ、３４ａが開かれたときに操作者はバラ紙幣入金口３２を介して紙幣投入部１１０に紙幣をセットしたりバラ紙幣投出部１５２に載置された紙幣をバラ紙幣出金口３４を介して外部に取り出したりすることができるようになっている。なお、バラ紙幣入金口３２に設けられた紙幣投入部１１０の開閉を行うシャッタ３２ａはなくてもよい。また、紙幣投入部１１０には紙幣繰出部１１２が設けられており、外部から紙幣投入部１１０に投入された紙幣は紙幣繰出部１１２により１枚ずつ筐体１０２内に繰り出されるようになっている。また、紙幣繰出部１１２には入金搬送部１１４が接続されており、紙幣繰出部１１２により筐体１０２内に繰り出された紙幣は入金搬送部１１４により１枚ずつ搬送されるようになっている。
【００２９】
紙幣投入部１１０の構成の詳細を図５に示す。図５に示すように、紙幣投入部１１０には、バラ紙幣入金口３２を介して外部から投入された紙幣（図５において参照符号Ｐで表示）が積層状態で集積されるようになっている。また、紙幣投入部１１０に集積されている紙幣を１枚ずつ繰り出す紙幣繰出部１１２は、紙幣の繰り出しを行うためのフィードローラ１１２ａと、フィードローラ１１２ａに対向して設けられ、当該フィードローラ１１２ａとの間にゲート部を形成するゲートローラ１１２ｂと、紙幣投入部１１０に積層状態で集積されている複数の紙幣のうち最下層にある紙幣をフィードローラ１１２ａ側に蹴り出すための２つのキッカローラ１１２ｃ、１１２ｄと、フィードローラ１１２ａに対向して設けられ、当該フィードローラ１１２ａにより繰り出される紙幣を案内する案内ローラ１１２ｅとを有しており、フィードローラ１１２ａとゲートローラ１１２ｂとの間のゲート部に送られた紙幣は当該ゲート部により１枚ずつに分離されるようになっている。そして、フィードローラ１１２ａにより繰り出された紙幣は入金搬送部１１４に送られ、この入金搬送部１１４により搬送されるようになる。
【００３０】
また、図５に示すように、紙幣投入部１１０には、この紙幣投入部１１０に積層状態で集積されている複数の紙幣を紙幣繰出部１１２側に向かって押さえる押さえ部材１１１が設けられている。より詳細には、押さえ部材１１１は紙幣投入部１１０に集積されている紙幣を上方から押さえるようになっている。また、押さえ部材１１１は紙幣繰出部１１２に向かう方向および紙幣繰出部１１２から退避する方向（図５における矢印方向）に移動自在となっている。より詳細には、図５に示すように押さえ部材１１１の駆動を行う押さえ部材駆動部１１３が設けられており、この押さえ部材駆動部１１３により押さえ部材１１１は紙幣繰出部１１２に向かう方向および紙幣繰出部１１２から退避する方向に移動するようになっている。押さえ部材駆動部１１３は後述するバラ紙幣処理装置３０の制御部２００により制御されるようになっている。
【００３１】
図２に示すように、入金搬送部１１４には入金識別部１１６が設けられており、入金搬送部１１４により搬送される紙幣は入金識別部１１６によりその金種、真偽、正損、新旧等が識別されるようになっている。また、入金搬送部１１４による紙幣の搬送方向における入金識別部１１６の下流側には表裏反転部１１８が設けられており、入金識別部１１６により識別された紙幣は表裏反転部１１８によりその表裏が整えられるようになっている。具体的には、表裏反転部１１８に送られた紙幣のうち、例えば裏面が上側となっている紙幣のみの表裏が反転されることにより、この表裏反転部１１８から出された紙幣は全て表面（おもてめん）が上側となるようになる。また、入金搬送部１１４には入金リジェクト部１２０が接続されており、入金識別部１１６により正常な紙幣ではないと識別された紙幣、すなわちリジェクト紙幣が入金搬送部１１４から入金リジェクト部１２０に送られるようになっている。入金リジェクト部１２０はバラ紙幣処理装置３０の筐体１０２の外部からアクセス可能となっており、操作者はこの入金リジェクト部１２０に集積されたリジェクト紙幣を手動で取り出すことができるようになっている。
【００３２】
また、図２に示すように、入金搬送部１１４には１つの一括一時保留部１３０と、複数（例えば４つ）の金種別一時保留部１３２とがそれぞれ接続されている。ここで、１つの一括一時保留部１３０および複数の金種別一時保留部１３２は並列に並ぶよう配設されている。入金搬送部１１４から一括一時保留部１３０や各金種別一時保留部１３２に搬送された紙幣は、これらの一括一時保留部１３０や各金種別一時保留部１３２において積層状態で集積されることにより一時的に保留されるようになっている。なお、一括一時保留部１３０には複数の金種の紙幣が混合状態で一時的に保留されるようになっており、また、各金種別一時保留部１３２にはそれぞれ特定の金種の紙幣が一時的に保留されるようになっている。また、一括一時保留部１３０に対応して１つの一括紙幣収納庫１４０が設けられているとともに、各金種別一時保留部１３２に対応して複数の金種別紙幣収納庫１４２が設けられている。一括紙幣収納庫１４０には、一括一時保留部１３０から送られた紙幣が積層状態で収納されるようになっている。また、各金種別紙幣収納庫１４２には、対応する金種別一時保留部１３２から送られた紙幣が積層状態で収納されるようになっている。なお、一括紙幣収納庫１４０には複数の金種の紙幣が混合状態で収納されるようになっており、また、各金種別紙幣収納庫１４２にはそれぞれ特定の金種の紙幣が収納されるようになっている。また、一括紙幣収納庫１４０および各金種別紙幣収納庫１４２にはそれぞれ紙幣繰出部１４４が設けられており、これらの一括紙幣収納庫１４０および各金種別紙幣収納庫１４２から紙幣が１枚ずつ紙幣繰出部１４４により繰り出されるようになっている。また、各紙幣繰出部１４４には下部搬送部１４６が接続されており、各紙幣繰出部１４４により一括紙幣収納庫１４０や各金種別紙幣収納庫１４２から繰り出された紙幣は下部搬送部１４６により１枚ずつ搬送されるようになっている。
【００３３】
一括紙幣収納庫１４０や各金種別紙幣収納庫１４２の構成の詳細を図４に示す。図４に示すように、一括紙幣収納庫１４０や各金種別紙幣収納庫１４２には、一括一時保留部１３０や金種別一時保留部１３２から下方に落下した紙幣（図４において参照符号Ｐで表示）が積層状態で収納されるようになっている。より詳細には、一括紙幣収納庫１４０や各金種別紙幣収納庫１４２の上部には一対の受け部材１４１が設けられており、一括一時保留部１３０や金種別一時保留部１３２から下方に落下した紙幣はまずこれらの受け部材１４１により受けられるようになっている。各受け部材１４１はその基端部に設けられた軸１４１ａを中心として図４における矢印方向に回転するようになっているとともに各受け部材１４１は鉛直方向に移動自在となっている。そして、一括一時保留部１３０や金種別一時保留部１３２から下方に落下した紙幣が各受け部材１４１により受けられた後、各受け部材１４１が軸１４１ａを中心として図４における矢印方向に回転することにより、各受け部材１４１から紙幣が落下して一括紙幣収納庫１４０や各金種別紙幣収納庫１４２に収納される。
【００３４】
図４に示すように、一括紙幣収納庫１４０および各金種別紙幣収納庫１４２に収納された紙幣を１枚ずつ繰り出す紙幣繰出部１４４は、紙幣の繰り出しを行うためのフィードローラ１４４ａと、フィードローラ１４４ａに対向して設けられ、当該フィードローラ１４４ａとの間にゲート部を形成するゲートローラ１４４ｂと、一括紙幣収納庫１４０および各金種別紙幣収納庫１４２に積層状態で収納されている複数の紙幣のうち最下層にある紙幣をフィードローラ１４４ａ側に蹴り出すための２つのキッカローラ１４４ｃ、１４４ｄと、フィードローラ１４４ａに対向して設けられ、当該フィードローラ１４４ａにより繰り出される紙幣を案内する案内ローラ１４４ｅとを有しており、フィードローラ１４４ａとゲートローラ１４４ｂとの間のゲート部に送られた紙幣は当該ゲート部により１枚ずつに分離されるようになっている。そして、フィードローラ１４４ａにより繰り出された紙幣は下部搬送部１４６に送られ、この下部搬送部１４６により搬送されるようになる。
【００３５】
また、図４に示すように、一括紙幣収納庫１４０や各金種別紙幣収納庫１４２には、これらの一括紙幣収納庫１４０や各金種別紙幣収納庫１４２に積層状態で収納されている複数の紙幣を紙幣繰出部１４４側に向かって押さえる押さえ部材１４３が設けられている。より詳細には、押さえ部材１４３は一括紙幣収納庫１４０や各金種別紙幣収納庫１４２に収納されている紙幣を上方から押さえるようになっている。このような押さえ部材１４３により一括紙幣収納庫１４０や各金種別紙幣収納庫１４２内で紙幣を上方から押さえることによって紙幣繰出部１４４による紙幣の繰り出しをスムーズに行うことができるようにしている。
【００３６】
また、押さえ部材１４３はその基端部に設けられた軸１４３ａを中心として図４における矢印方向に回転するようになっているとともに鉛直方向に移動自在となっている。より詳細には、図４に示すように押さえ部材１４３の駆動を行う押さえ部材駆動部１４５が設けられており、この押さえ部材駆動部１４５によって押さえ部材１４３は軸１４３ａを中心として図４における矢印方向に回転したり鉛直方向に移動したりするようになっている。このように、押さえ部材１４３は、軸１４３ａを中心として回転することにより、一括紙幣収納庫１４０や各金種別紙幣収納庫１４２における紙幣の収納領域内に進出する進出位置と、この収納領域から退避する退避位置との間で移動するとともに、一括紙幣収納庫１４０や各金種別紙幣収納庫１４２における紙幣の積み重ね方向（図４における上下方向）に沿って移動するようになる。なお、押さえ部材駆動部１４５は後述するバラ紙幣処理装置３０の制御部２００により制御されるようになっている。
【００３７】
また、図２に示すように、下部搬送部１４６には出金識別部１４８が接続されており、下部搬送部１４６により搬送される紙幣は出金識別部１４８によりその金種、真偽、正損、新旧等が識別されるようになっている。なお、出金識別部１４８は、紙幣の真偽、正損の識別は行わなくてもよい。また、出金識別部１４８には出金搬送部１５０が接続されており、出金識別部１４８により識別された紙幣は出金搬送部１５０により１枚ずつ搬送されるようになっている。
【００３８】
図２に示すように、出金搬送部１５０にはバラ紙幣投出部１５２、出金リジェクト部１５４、２つの整理一時保留部１６０がそれぞれ接続されており、出金識別部１４８により識別された紙幣のうち、筐体１０２の外部に投出されるべき紙幣は出金搬送部１５０によりバラ紙幣投出部１５２に送られてこのバラ紙幣投出部１５２に集積されるようになっている。バラ紙幣投出部１５２はバラ紙幣処理装置３０の筐体１０２の外部からアクセス可能となっており、操作者はバラ紙幣出金口３４を介してバラ紙幣投出部１５２に集積されたバラ紙幣を手動で取り出すことができるようになっている。また、出金識別部１４８により正常な紙幣ではないと識別された紙幣、すなわちリジェクト紙幣は出金搬送部１５０により出金リジェクト部１５４に送られるようになっている。また、出金識別部１４８により識別された紙幣のうち、バラ紙幣処理装置３０に併設された帯封紙幣処理装置４０により帯封されるべき紙幣は出金搬送部１５０により各整理一時保留部１６０に送られるようになっている。各整理一時保留部１６０では、出金搬送部１５０から送られた紙幣が積層状態で集積されるようになっている。そして、各整理一時保留部１６０に集積された紙幣の束は、アーム部１９０によってこれらの整理一時保留部１６０から取り出され、当該アーム部１９０により帯封紙幣処理装置４０の帯封部（図示せず）に搬送されるようになる。また、図２に示すように、出金識別部１４８により識別された紙幣を出金搬送部１５０により表裏反転部１１８に送ることができるようになっており、出金搬送部１５０により表裏反転部１１８に送られた紙幣は入金搬送部１１４により一括一時保留部１３０や各金種別一時保留部１３２に搬送されるようになっている。
【００３９】
また、図２に示すように、入金搬送部１１４や出金搬送部１５０における分岐箇所には分岐部材１７０がそれぞれ設けられており、これらの分岐部材１７０により分岐箇所における紙幣の搬送先が決められるようになっている。また、入金搬送部１１４、下部搬送部１４６、出金搬送部１５０には紙幣の検出を行う紙幣検出センサ１８０が複数設けられている。また、本実施の形態では、出金搬送部１５０における、出金識別部１４８と各整理一時保留部１６０との間には、紙幣厚さ検知センサ１８２および半券検知センサ１８４がそれぞれ設けられている。また、半券検知センサ１８４は、バラ紙幣投出部１５２への入口部分である出金搬送部１５０にも設けられている。
【００４０】
また、図２に示すように、本実施の形態のバラ紙幣処理装置３０では、一括紙幣収納庫１４０、各金種別紙幣収納庫１４２、下部搬送部１４６、出金識別部１４８等により下部ユニット３００が構成されているとともに、一括一時保留部１３０および４つの金種別一時保留部１３２により中間ユニット３２０が構成されており、これらの下部ユニット３００および中間ユニット３２０は一体的にバラ紙幣処理装置３０の筐体１０２から図２における左方向（筐体１０２の前方）に引き出し可能となっている。なお、中間ユニット３２０は単独でも筐体１０２から引き出すことができるようになっている。ここで、下部ユニット３００および中間ユニット３２０は筐体１０２から完全に取り外すことはできず、一括紙幣収納庫１４０や各金種別紙幣収納庫１４２等が外部に露出すると下部ユニット３００や中間ユニット３２０を筐体１０２からこれ以上引き出すことができないようになっている。
【００４１】
また、下部ユニット３００や中間ユニット３２０の上方には、紙幣投入部１１０、入金搬送部１１４、入金識別部１１６、表裏反転部１１８、入金リジェクト部１２０、バラ紙幣投出部１５２、整理一時保留部１６０等から構成される上部ユニット３４０が設けられており、この上部ユニット３４０もバラ紙幣処理装置３０の筐体１０２から図２における左方向（筐体１０２の前方）に引き出し可能となっている。なお、上部ユニット３４０も筐体１０２から完全に取り外すことはできず、入金搬送部１１４等が外部に露出すると上部ユニット３４０を筐体１０２からこれ以上引き出すことができないようになっている。
【００４２】
また、本実施の形態のバラ紙幣処理装置３０には、当該バラ紙幣処理装置３０の各構成要素の制御を行う制御部２００（図２では図示せず）が設けられている。このような制御部２００の構成について図３を用いて説明する。図３に示すように、制御部２００には紙幣繰出部１１２、入金搬送部１１４、入金識別部１１６、表裏反転部１１８、一括一時保留部１３０、金種別一時保留部１３２、紙幣繰出部１４４、押さえ部材駆動部１４５、押さえ部材駆動部１１３、下部搬送部１４６、出金識別部１４８、出金搬送部１５０、分岐部材１７０、紙幣検出センサ１８０、紙幣厚さ検知センサ１８２、半券検知センサ１８４、アーム部１９０等がそれぞれ接続されている。そして、入金識別部１１６や出金識別部１４８による紙幣の識別結果に係る信号や、紙幣検出センサ１８０、紙幣厚さ検知センサ１８２、半券検知センサ１８４による紙幣の検知結果に係る信号等が制御部２００に送られるようになっている。また、制御部２００は、紙幣繰出部１１２、入金搬送部１１４、表裏反転部１１８、一括一時保留部１３０、金種別一時保留部１３２、紙幣繰出部１４４、押さえ部材駆動部１４５、押さえ部材駆動部１１３、下部搬送部１４６、出金搬送部１５０、分岐部材１７０、アーム部１９０等の各構成要素に指令信号を送ることによりこれらの構成要素の制御を行うようになっている。
【００４３】
また、図３に示すように、制御部２００には表示部２０２、操作部２０４、異常状態検出手段２０６、記憶部２０８がそれぞれ接続されている。表示部２０２は例えばバラ紙幣処理装置３０の筐体１０２の前面や上面に設けられたモニタ等からなり、バラ紙幣処理装置３０における紙幣の処理状況や、一括紙幣収納庫１４０や各金種別紙幣収納庫１４２に収納されている紙幣の在高等に関する情報等が表示部２０２に表示されるようになっている。また、操作部２０４は例えばキーボードや操作キー等からなり、操作者はこの操作部２０４により制御部２００に対して様々な指令を与えることができるようになっている。なお、表示部２０２および操作部２０４がそれぞれ設けられる代わりに、表示部２０２および操作部２０４の機能が一体化されたタッチパネル等の操作表示部がバラ紙幣処理装置３０の筐体１０２の前面や上面に設けられていてもよい。
【００４４】
また、異常状態検出手段２０６は、紙幣繰出部１４４に紙幣のジャム（詰まり）による繰り出し不良等の異常が発生したときに当該紙幣繰出部１４４の異常状態を検出するようになっている。また、記憶部２０８には、バラ紙幣処理装置３０における紙幣の処理状況や、一括紙幣収納庫１４０や各金種別紙幣収納庫１４２に収納されている紙幣の在高等に関する情報等が記憶されるようになっている。
【００４５】
次に、このような構成からなるバラ紙幣処理装置３０の動作について説明する。なお、以下に示すようなバラ紙幣処理装置３０の動作は、制御部２００が当該バラ紙幣処理装置３０の各構成要素を制御することにより行われるようになっている。
【００４６】
まず、バラ紙幣処理装置３０において入金処理を行う際の動作について説明する。バラ紙幣処理装置３０が待機状態となっているときに、操作者がバラ紙幣入金口３２を介して紙幣投入部１１０にバラ紙幣を投入するとともに、入金処理開始の指令を操作部２０４により制御部２００に入力すると、紙幣投入部１１０に投入された紙幣は紙幣繰出部１１２により１枚ずつ筐体１０２内に繰り出され、入金搬送部１１４により搬送されるようになる。そして、入金搬送部１１４により搬送される紙幣は入金識別部１１６によりその金種、真偽、正損、新旧等が識別される。入金識別部１１６により識別された紙幣は表裏反転部１１８によりその表裏が整えられる。具体的には、表裏反転部１１８に送られた紙幣のうち、例えば裏面が上側となっている紙幣のみの表裏が反転されることにより、この表裏反転部１１８から出された紙幣は全て表面（おもてめん）が上側となるようになる。また、入金識別部１１６により正常な紙幣ではないと識別された紙幣、すなわちリジェクト紙幣は入金搬送部１１４から入金リジェクト部１２０に送られる。入金リジェクト部１２０はバラ紙幣処理装置３０の筐体１０２の外部からアクセス可能となっており、紙幣投入部１１０に投入された紙幣が全て筐体１０２内に繰り出されると、操作者はこの入金リジェクト部１２０に集積されたリジェクト紙幣を手動で取り出し、紙幣投入部１１０に再投入等するようになる。
【００４７】
一方、入金識別部１１６により正常な紙幣であると識別された紙幣は、入金搬送部１１４により一括一時保留部１３０または各金種別一時保留部１３２に送られ、これらの一時保留部で一時的に保留されるようになる。具体的には、入金識別部１１６により正常な紙幣であると識別された紙幣は、対応する金種の金種別一時保留部１３２に送られるが、この対応する金種の金種別一時保留部１３２が満杯状態である場合には、当該紙幣は一括一時保留部１３０に送られるようになる。そして、紙幣投入部１１０に投入された紙幣が全て筐体１０２内に繰り出され、入金リジェクト部１２０、一括一時保留部１３０または各金種別一時保留部１３２に送られると、表示部２０２には操作者に対して入金確定の指令を促すメッセージが表示される。このときに、操作者が操作部２０４により入金確定の指令を入力すると、一括一時保留部１３０や各金種別一時保留部１３２に一時的に保留されている紙幣が、対応する一括紙幣収納庫１４０や各金種別紙幣収納庫１４２に送られ、これらの紙幣収納庫に収納されるようになる。このようにして、バラ紙幣処理装置３０における入金処理に係る一連の動作が完了する。
【００４８】
次に、バラ紙幣処理装置３０により出金処理を行う際の動作について説明する。バラ紙幣処理装置３０が待機状態となっているときに、出金すべき紙幣の金種毎の枚数や合計金額等に係る情報を含む出金処理開始の指令を操作者が操作部２０４により制御部２００に入力すると、出金すべき金種の紙幣が各金種別紙幣収納庫１４２から１枚ずつ紙幣繰出部１４４により下部搬送部１４６に繰り出される。そして、下部搬送部１４６により搬送される紙幣は出金識別部１４８によりその金種、真偽、正損、新旧等が識別され、出金識別部１４８により識別された紙幣は出金搬送部１５０により１枚ずつ搬送される。出金識別部１４８により正常な紙幣ではないと識別された紙幣、すなわちリジェクト紙幣は出金搬送部１５０から出金リジェクト部１５４に送られる。また、出金識別部１４８により正常な紙幣であると識別された紙幣は出金搬送部１５０によりバラ紙幣投出部１５２に送られ、このバラ紙幣投出部１５２に集積される。バラ紙幣投出部１５２はバラ紙幣出金口３４を介してバラ紙幣処理装置３０の筐体１０２の外部からアクセス可能となっており、バラ紙幣処理装置３０において出金処理が完了すると、操作者はこのバラ紙幣投出部１５２に集積された紙幣を手動で取り出すようになる。このようにして、バラ紙幣処理装置３０における出金処理に係る一連の動作が完了する。
【００４９】
本実施の形態によるバラ紙幣処理装置３０では、上述したバラ紙幣処理装置３０の出金処理等において、紙幣繰出部１４４においてジャム等のトラブルが発生して一括紙幣収納庫１４０や各金種別紙幣収納庫１４２から紙幣を繰り出すことができなくなった場合には、図６に示すように下部ユニット３００および中間ユニット３２０をバラ紙幣処理装置３０の筐体１０２から手前側に引き出して、問題のある紙幣繰出部１４４に対応する一括紙幣収納庫１４０や各金種別紙幣収納庫１４２から紙幣を取り出すことによりこのような異常状態を解消している。具体的には、下部ユニット３００および中間ユニット３２０をバラ紙幣処理装置３０の筐体１０２から手前側に引き出した後、一括紙幣収納庫１４０や各金種別紙幣収納庫１４２の扉３０２（後述）を開くことにより一括紙幣収納庫１４０や各金種別紙幣収納庫１４２に収納されている紙幣を取り出すことができるようになる。
【００５０】
より詳細に説明すると、紙幣繰出部１４４においてジャム等のトラブルが発生して一括紙幣収納庫１４０や各金種別紙幣収納庫１４２から紙幣を繰り出すことができなくなった場合には、操作表示部５０やバラ紙幣処理装置３０の表示部２０２には一括紙幣収納庫１４０や各金種別紙幣収納庫１４２に収納されている紙幣を取り出す方法を示すガイダンス画面が表示されるようになり、操作者はこのガイダンス画面に従って一括紙幣収納庫１４０や各金種別紙幣収納庫１４２に収納されている紙幣を取り出すようになる。ここで、下部ユニット３００および中間ユニット３２０がバラ紙幣処理装置３０の筐体１０２から手前側に引き出されると、操作表示部５０やバラ紙幣処理装置３０の表示部２０２には図７に示すようなガイダンス画面が表示される。なお、図７に示すように、一括紙幣収納庫１４０や各金種別紙幣収納庫１４２の各々には扉３０２がそれぞれ設けられており、この扉３０２が開かれた状態のときに一括紙幣収納庫１４０や各金種別紙幣収納庫１４２に対する紙幣の出し入れを行うことができるようになっている。また、一括紙幣収納庫１４０や各金種別紙幣収納庫１４２に設けられた扉３０２は、図６に示すように下部ユニット３００や中間ユニット３２０を筐体１０２から引き出したときに開くことができるようになっている。また、扉３０２には、一括紙幣収納庫１４０や各金種別紙幣収納庫１４２の外部から内部を見るための窓部３０３が設けられている。本実施の形態によるバラ紙幣処理装置３０では、下部ユニット３００および中間ユニット３２０がバラ紙幣処理装置３０の筐体１０２から手前側に引き出されると、操作表示部５０やバラ紙幣処理装置３０の表示部２０２に表示される図７に示すようなガイダンス画面において、一括紙幣収納庫１４０や各金種別紙幣収納庫１４２の扉３０２を開くことが操作者に要求されるようになる。ここで、図７のガイダンス画面では、一括紙幣収納庫１４０や各金種別紙幣収納庫１４２のうちトラブルが発生した収納庫１４０、１４２の扉３０２を指して開けるように要求している。
【００５１】
操作者が一括紙幣収納庫１４０や各金種別紙幣収納庫１４２の扉３０２を開くと、操作表示部５０やバラ紙幣処理装置３０の表示部２０２には図８に示すようなガイダンス画面が表示され、一括紙幣収納庫１４０や各金種別紙幣収納庫１４２に収納されている紙幣を取り除くことが操作者に要求されるようになる。また、一括紙幣収納庫１４０や各金種別紙幣収納庫１４２の各々において扉３０２の下方には紙幣強制取り出し用つまみ３０４が設けられており、この紙幣強制取り出し用つまみ３０４を操作者が回転させることにより、紙幣繰出部１４４から一括紙幣収納庫１４０や各金種別紙幣収納庫１４２に紙幣が戻されるようになっている。このように、紙幣繰出部１４４で紙幣が詰まっている場合でも、操作者がこの紙幣強制取り出し用つまみ３０４を回転させることにより紙幣繰出部１４４で詰まっている紙幣を一括紙幣収納庫１４０や各金種別紙幣収納庫１４２に強制的に戻すことで外部に取り出すことができるようになる。
【００５２】
ここで、本実施の形態では、制御部２００は、異常状態検出手段２０６により紙幣繰出部１４４の異常状態が検出されたときに、一括紙幣収納庫１４０や各金種別紙幣収納庫１４２に収納されている紙幣から押さえ部材１４３を離間させるよう押さえ部材駆動部１４５の制御を行うようになっている。より詳細には、制御部２００は、異常状態検出手段２０６により複数の紙幣繰出部１４４のうちある紙幣繰出部１４４の異常状態が検出されたときに、当該紙幣繰出部１４４に対応する一括紙幣収納庫１４０や各金種別紙幣収納庫１４２についてのみ押さえ部材１４３を図４における上方に移動させるよう押さえ部材駆動部１４５の制御を行う。ここで、一括紙幣収納庫１４０や各金種別紙幣収納庫１４２の扉３０２には、一括紙幣収納庫１４０や各金種別紙幣収納庫１４２の外部から内部を見るための窓部３０３が設けられているため、図６に示すように下部ユニット３００や中間ユニット３２０を筐体１０２から引き出した後、一括紙幣収納庫１４０や各金種別紙幣収納庫１４２に収納されている紙幣を押さえ部材１４３が押さえているか否かを一括紙幣収納庫１４０や各金種別紙幣収納庫１４２の外部から窓部３０３を介して視認することができるようになる。
【００５３】
このように、異常状態検出手段２０６により複数の紙幣繰出部１４４のうちある紙幣繰出部１４４の異常状態が検出されたときに、当該紙幣繰出部１４４に対応する一括紙幣収納庫１４０や各金種別紙幣収納庫１４２における押さえ部材１４３が紙幣から離間するよう図４における上方に移動するため、操作者は一括紙幣収納庫１４０や各金種別紙幣収納庫１４２の扉３０２を一方の片手で開いた状態に保持するとともに、もう一方の片手で一括紙幣収納庫１４０や各金種別紙幣収納庫１４２から紙幣を取り出すことができるようになり、この操作者は押さえ部材１４３を手動で移動させる必要がなくなるため、作業性を向上させることができる。
【００５４】
なお、異常状態となっている紙幣繰出部１４４に対応する一括紙幣収納庫１４０や各金種別紙幣収納庫１４２における押さえ部材１４３が紙幣から離間するよう上方に移動するタイミングは、異常状態検出手段２０６により紙幣繰出部１４４の異常状態が検出されたときであってもよく、あるいは、異常状態検出手段２０６により紙幣繰出部１４４の異常状態が検出された後、筐体１０２から下部ユニット３００や中間ユニット３２０が引き出されたときであってもよい。
【００５５】
また、他の態様では、制御部２００は、異常状態検出手段２０６により複数の紙幣繰出部１４４のうちある紙幣繰出部１４４の異常状態が検出されたときに、当該紙幣繰出部１４４に対応する一括紙幣収納庫１４０や各金種別紙幣収納庫１４２における押さえ部材１４３を図４における上方に移動させたあと、軸１４３ａを中心としてこの押さえ部材１４３を回転させることにより当該押さえ部材１４３を紙幣の収納領域内から退避する退避位置に移動させるよう押さえ部材駆動部１４５の制御を行うようになっていてもよい。また、更に他の態様では、制御部２００は、異常状態検出手段２０６により複数の紙幣繰出部１４４のうちある紙幣繰出部１４４の異常状態が検出されたときに、当該紙幣繰出部１４４に対応する一括紙幣収納庫１４０や各金種別紙幣収納庫１４２における押さえ部材１４３を図４における上方に移動させながら軸１４３ａを中心としてこの押さえ部材１４３を紙幣の上面をなぞらえるようにして図４における反時計回りの方向に回転させることにより当該押さえ部材１４３を紙幣の収納領域内から退避する退避位置に移動させるよう押さえ部材駆動部１４５の制御を行うようになっていてもよい。
【００５６】
また、本実施の形態によるバラ紙幣処理装置３０では、紙幣繰出部１１２や入金搬送部１１４においてジャム等のトラブルが発生して紙幣投入部１１０から紙幣を入金搬送部１１４に繰り出すことができなくなったり入金搬送部１１４により紙幣を搬送することができなくなったりした場合には、上部ユニット３４０をバラ紙幣処理装置３０の筐体１０２から手前側に引き出して、紙幣繰出部１１２や入金搬送部１１４において詰まった紙幣を取り出すことによりこのような異常状態を解消している。ここで、紙幣繰出部１１２や入金搬送部１１４の異常状態が検出されると、制御部２００は紙幣投入部１１０に集積されている紙幣を押さえ部材１１１により上方から押さえるよう押さえ部材駆動部１１３の制御を行う。このことにより、上部ユニット３４０がバラ紙幣処理装置３０の筐体１０２から手前側に引き出される際に、紙幣投入部１１０に集積されている紙幣を押さえ部材１１１により上方から押さえられるようになるため、紙幣投入部１１０に集積されている紙幣がこの紙幣投入部１１０から落下してしまうことを防止することができるようになる。なお、通常の入金処理時には、操作者が紙幣投入部１１０に紙幣を載置する動作の邪魔とならないよう、押さえ部材１１１は図５における上方に退避するようになっている。
【００５７】
また、本実施の形態によるバラ紙幣処理装置３０では、制御部２００は、リトライ動作が発生したときにこのリトライ動作のログを記憶部２０８に記憶させるとともに、記憶部２０８に記憶された様々なバラ紙幣処理装置３０の動作のログからリトライ動作のログのみを抽出することができるようになっている。ここで、リトライ動作とは、バラ紙幣処理装置３０の様々な構成部材において異常状態が検出されたときに、バラ紙幣処理装置３０をエラーダウンさせることなく、代わりに異常状態を解消する動作を当該構成部材で繰り返し行うことをいう。具体的には、例えば紙幣繰出部１１２や紙幣繰出部１４４において異常状態が検出されたときに、紙幣繰出部１１２や紙幣繰出部１４４の各ローラを逆転させることによりこれらの紙幣繰出部１１２や紙幣繰出部１４４から紙幣を紙幣投入部１１０、一括紙幣収納庫１４０、各金種別紙幣収納庫１４２等に戻し、その後、再び紙幣繰出部１１２や紙幣繰出部１４４により紙幣の繰り出しを行うような動作をリトライ動作という。
【００５８】
従来技術のバラ紙幣処理装置では、リトライ動作が発生したときにこのリトライ動作のログを記憶部に記憶させていたが、記憶部に記憶された様々なバラ紙幣処理装置の動作のログからリトライ動作のログのみを抽出することはできなかった。このため、操作者は記憶部に記憶された数万件単位の大量のログを解析し、その中からリトライ動作に関するログを探し出す必要があるため、リトライ動作に関するログを解析することは困難であった。これに対し、本実施の形態では、制御部２００は、リトライ動作が発生したときにこのリトライ動作のログを記憶部２０８に記憶させるとともに、記憶部２０８に記憶された様々なバラ紙幣処理装置３０の動作のログからリトライ動作のログのみを抽出することができるようになっているため、リトライ動作に関するログを容易に解析することができるようになる。
【００５９】
より詳細には、本実施の形態では、制御部２００は、記憶部２０８に記憶された様々なバラ紙幣処理装置３０のログから、最新の５０回分のリトライ動作のログを抽出し、この抽出した情報を操作表示部５０やバラ紙幣処理装置３０の表示部２０２に時系列的に表示するようになっている。ここで、操作表示部５０やバラ紙幣処理装置３０の表示部２０２における、最新の５０回分のリトライ動作のログの表示内容を図９に示す。図９に示すように、最新の５０回分のリトライ動作の発生箇所が操作表示部５０やバラ紙幣処理装置３０の表示部２０２に表示されるようになるため、操作者は、頻繁にリトライ動作が発生している構成部材に基づいて当該構成部材の故障を予知することができるようになり、メンテナンス作業時にこの構成部材の交換や補修等を早めに行うことができるようになる。
【００６０】
なお、操作表示部５０やバラ紙幣処理装置３０の表示部２０２において、図９に示すような最新の５０回分のリトライ動作のログが時系列的に表示される代わりに、構成部品毎のリトライ動作の発生回数が表示されるようになっていてもよい。また、リトライ動作の発生回数が予め設定された所定回数に達したときに、操作表示部５０やバラ紙幣処理装置３０の表示部２０２に警告表示がなされるようになっていてもよい。これらの場合でも、操作者は、頻繁にリトライ動作が発生している構成部材に基づいて当該構成部材の故障を予知することができるようになり、メンテナンス作業時にこの構成部材の交換や補修等を早めに行うことができるようになる。
【００６１】
以上のような構成からなる本実施の形態のバラ紙幣処理装置３０によれば、異常状態検出手段２０６により紙幣繰出部１４４の異常状態が検出されたときに、一括紙幣収納庫１４０や各金種別紙幣収納庫１４２に収納されている紙幣から押さえ部材１４３を離間させるよう押さえ部材駆動部１４５が制御部２００により制御されるようになっているため、操作者が一括紙幣収納庫１４０や各金種別紙幣収納庫１４２から紙幣を取り出す際に、一括紙幣収納庫１４０や各金種別紙幣収納庫１４２の扉３０２を一方の片手で開いた状態に保持するとともに、もう一方の片手で一括紙幣収納庫１４０や各金種別紙幣収納庫１４２から紙幣を取り出すことができるようになり、この操作者は押さえ部材１４３を手動で移動させる必要がなくなるため、作業性を向上させることができる。
【００６２】
また、本実施の形態のバラ紙幣処理装置３０においては、上述したように、制御部２００は、異常状態検出手段２０６により紙幣繰出部１４４の異常状態が検出された後、バラ紙幣処理装置３０の筐体１０２から下部ユニット３００や中間ユニット３２０（すなわち、一括紙幣収納庫１４０や各金種別紙幣収納庫１４２）が引き出されたときに、一括紙幣収納庫１４０や各金種別紙幣収納庫１４２に収納されている紙幣から押さえ部材１４３を離間させるよう押さえ部材駆動部１４５の制御を行うようになっていてもよい。この場合でも、操作者が一括紙幣収納庫１４０や各金種別紙幣収納庫１４２から紙幣を取り出す際における作業性を向上させることができる。
【００６３】
また、本実施の形態のバラ紙幣処理装置３０においては、上述したように、一括紙幣収納庫１４０や各金種別紙幣収納庫１４２には複数の紙幣が積層状態で収納されるようになっており、押さえ部材１４３は、一括紙幣収納庫１４０や各金種別紙幣収納庫１４２に収納されている紙幣を上方から押さえるようになっている。また、押さえ部材駆動部１４５は一括紙幣収納庫１４０や各金種別紙幣収納庫１４２における紙幣の積み重ね方向に沿って押さえ部材１４３を移動させるようになっており、制御部２００は、異常状態検出手段２０６により紙幣繰出部１４４の異常状態が検出されたときに、押さえ部材１４３を上方に移動させるよう押さえ部材駆動部１４５の制御を行うようになっている。
【００６４】
なお、上述したように、制御部２００は、異常状態検出手段２０６により紙幣繰出部１４４の異常状態が検出されたときに、軸１４３ａを中心として押さえ部材１４３を回転させることにより当該押さえ部材１４３を紙幣の収納領域内から退避する退避位置に移動させるよう押さえ部材駆動部１４５の制御を行うようになっていてもよい。
【００６５】
また、本実施の形態のバラ紙幣処理装置３０においては、上述したように、一括紙幣収納庫１４０や各金種別紙幣収納庫１４２には扉３０２が設けられており、扉３０２が開かれた状態のときに一括紙幣収納庫１４０や各金種別紙幣収納庫１４２に対する紙幣の出し入れを行うことができるようになっている。また、一括紙幣収納庫１４０や各金種別紙幣収納庫１４２は筐体１０２から引き出し可能となっており、一括紙幣収納庫１４０や各金種別紙幣収納庫１４２を筐体１０２から引き出した状態のときに扉３０２を開くことができるようになっている。また、扉３０２には一括紙幣収納庫１４０や各金種別紙幣収納庫１４２の外部から内部を見るための窓部３０３が設けられており、一括紙幣収納庫１４０や各金種別紙幣収納庫１４２に収納されている紙幣を押さえ部材１４３が押さえているか否かを一括紙幣収納庫１４０や各金種別紙幣収納庫１４２の外部から窓部３０３を介して視認することができるようになっている。この場合には、紙幣繰出部１４４に異常が発生したときに、押さえ部材１４３が紙幣から離間している一括紙幣収納庫１４０や各金種別紙幣収納庫１４２のみについて操作者は紙幣の取り出しを行えばよくなるため、全ての一括紙幣収納庫１４０および各金種別紙幣収納庫１４２の扉３０２を開ける必要がなくなり操作者の負担を軽減することができる。
【００６６】
また、本実施の形態のバラ紙幣処理装置３０においては、上述したように、制御部２００は、異常状態検出手段２０６により複数の紙幣繰出部１４４のうちある紙幣繰出部１４４の異常状態が検出されたときに、当該紙幣繰出部１４４に対応する一括紙幣収納庫１４０や各金種別紙幣収納庫１４２についてのみ一括紙幣収納庫１４０や各金種別紙幣収納庫１４２に収納されている紙幣から押さえ部材１４３を離間させるよう押さえ部材駆動部１４５の制御を行うようになっている。この場合には、必要最小限の押さえ部材１４３のみを移動させるようになるため、ある紙幣繰出部１４４で異常状態が検出されたときに全ての一括紙幣収納庫１４０および各金種別紙幣収納庫１４２に設けられた押さえ部材１４３を移動させる場合と比較してシンプルな動作とすることができる。また、図７のガイダンス画面では、一括紙幣収納庫１４０や各金種別紙幣収納庫１４２のうち異常状態が発生した一括紙幣収納庫１４０や各金種別紙幣収納庫１４２を指示して扉３０２を開けるように案内しているが、このような案内がなくても、操作者は紙幣から離間した押さえ部材１４３を窓部３０３を介して確認することによりどの紙幣繰出部１４４で異常が発生したかを一目で判断することができるようになる。また窓部３０３がなくても扉３０２を開ければ直ちに異常が発生したか否かを判断することができる。
【００６７】
なお、本実施の形態によるバラ紙幣処理装置は、上述したような態様に限定されることはなく、様々な変更を加えることができる。
【００６８】
例えば、バラ紙幣処理装置は、一括紙幣収納庫１４０や各金種別紙幣収納庫１４２に紙幣が積層状態で収納されるとともに押さえ部材１４３が一括紙幣収納庫１４０や各金種別紙幣収納庫１４２に収納された紙幣を上方から押さえる態様のものに限定されることはない。変形例に係るバラ紙幣処理装置の構成について図１０および図１１を用いて説明する。
【００６９】
図１０に示すバラ紙幣処理装置では、一括紙幣収納庫や各金種別紙幣収納庫として用いられる紙幣収納庫４４０に複数の紙幣が立位状態で水平方向に並ぶよう載置板４４２上に載置されるようになっており、載置板４４２上に載置される複数の紙幣のうち最も右側に位置する紙幣が紙幣繰出部４４４により紙幣搬送部４４６に繰り出されるようになっている。ここで、紙幣繰出部４４４は、紙幣の繰り出しを行うためのフィードローラ４４４ａと、フィードローラ４４４ａに対向して設けられ、当該フィードローラ４４４ａとの間にゲート部を形成するゲートローラ４４４ｂと、載置板４４２上に載置される複数の紙幣のうち最も右側に位置する紙幣をフィードローラ４４４ａ側（すなわち、図１０における上方向）に蹴り出すためのキッカローラ４４４ｃとを有しており、フィードローラ４４４ａとゲートローラ４４４ｂとの間のゲート部に送られた紙幣は当該ゲート部により１枚ずつに分離されるようになっている。また、このような紙幣収納庫４４０において、載置板４４２上に載置される複数の紙幣を紙幣繰出部４４４側に押圧する押さえ部材４４３が配設されている。この押さえ部材４４３は図１０における左右方向に移動自在となっている。より詳細には、図１０に示すように押さえ部材４４３の駆動を行う押さえ部材駆動部４４５が設けられており、この押さえ部材駆動部４４５により押さえ部材４４３は紙幣繰出部４４４に向かう方向および紙幣繰出部４４４から退避する方向に移動するようになっている。押さえ部材駆動部４４５はバラ紙幣処理装置の制御部により制御されるようになっている。
【００７０】
図１０に示すバラ紙幣処理装置において、異常状態検出手段により紙幣繰出部４４４の異常状態が検出されたときに、紙幣収納庫４４０に収納されている紙幣から押さえ部材４４３を離間させるよう押さえ部材駆動部４４５がバラ紙幣処理装置の制御部により制御されるようになっている。具体的には、異常状態検出手段により紙幣繰出部４４４の異常状態が検出されると、押さえ部材４４３が図１０における左方向に移動するよう押さえ部材駆動部４４５の制御が行われる。このことにより、操作者が紙幣収納庫４４０から紙幣を取り出す際に、当該紙幣収納庫４４０の扉（図示せず）を一方の片手で開いた状態に保持するとともに、もう一方の片手で紙幣収納庫４４０から紙幣を取り出すことができるようになり、この操作者は押さえ部材４４３を手動で移動させる必要がなくなるため、作業性を向上させることができる。
【００７１】
図１１は、更なる変形例に係るバラ紙幣処理装置の構成が示されている。図１１に示すバラ紙幣処理装置では、一括紙幣収納庫や各金種別紙幣収納庫として用いられる紙幣収納庫５４０に複数の紙幣が積層状態で収納されるようになっているが、当該紙幣収納庫５４０から紙幣を繰り出すための紙幣繰出部５４４はこの紙幣収納庫５４０の上部に配設されている。ここで、紙幣繰出部５４４は、紙幣の繰り出しを行うためのフィードローラ５４４ａと、フィードローラ５４４ａに対向して設けられ、当該フィードローラ５４４ａとの間にゲート部を形成するゲートローラ５４４ｂと、後述する載置板５４３上に載置される複数の紙幣のうち最上層に位置する紙幣をフィードローラ５４４ａ側に蹴り出すためのキッカローラ５４４ｃとを有しており、フィードローラ５４４ａとゲートローラ５４４ｂとの間のゲート部に送られた紙幣は当該ゲート部により１枚ずつに分離されるようになっている。また、紙幣収納庫５４０には、紙幣が積層状態で載置される載置板５４３が設けられており、この載置板５４３は上下方向に移動自在となっている。より詳細には、紙幣搬送部５４６から紙幣収納庫５４０に紙幣が送られて載置板５４３上に紙幣が載置される度に、載置板５４３は徐々に下降するようになっている。この際は、フィードローラ５４４ａおよびゲートローラ５４４ｂは図１１の矢印とは反対方向に回転し、キッカローラ５４４ｃは紙幣の上面から離れている。一方、載置板５４３上に載置された紙幣を紙幣収納庫５４０から繰り出す際には、載置板５４３を上昇させることにより、当該載置板５４３に載置される紙幣を紙幣繰出部５４４側に押圧し、この紙幣繰出部５４４による紙幣の繰り出しがスムーズに行われるようにする。
【００７２】
また、図１１に示す紙幣収納庫５４０において、載置板５４３の駆動を行う載置板駆動部５４５が設けられており、この載置板駆動部５４５により載置板５４３は紙幣繰出部５４４に向かう方向および紙幣繰出部５４４から退避する方向（すなわち、図１１における上下方向）に移動するようになっている。また、載置板駆動部５４５はバラ紙幣処理装置の制御部により制御されるようになっている。図１１に示すバラ紙幣処理装置では、載置板５４３は、紙幣収納庫５４０に収納されている紙幣を紙幣繰出部５４４側に向かって押さえる押さえ部材として機能するようになっている。
【００７３】
図１１に示すバラ紙幣処理装置において、異常状態検出手段により紙幣繰出部５４４の異常状態が検出されたときに、紙幣収納庫５４０に収納されている紙幣から載置板５４３を離間させるよう載置板駆動部５４５が制御部により制御されるようになっている。具体的には、異常状態検出手段により紙幣繰出部５４４の異常状態が検出されると、載置板５４３が図１１における下方向に移動するよう制御部は載置板駆動部５４５の制御を行う。このことにより、操作者が紙幣収納庫５４０から紙幣を取り出す際に、当該紙幣収納庫５４０の扉（図示せず）を一方の片手で開いた状態に保持するとともに、もう一方の片手で紙幣収納庫５４０から紙幣を取り出すことができるようになり、この操作者は載置板５４３を手動で移動させる必要がなくなるため、作業性を向上させることができる。
【００７４】
また、本発明に係る紙葉類処理装置および紙葉類処理方法は、バラ紙幣の処理を行うバラ紙幣処理装置および当該バラ紙幣処理装置による紙幣処理方法に限定されることはない。本発明に係る紙葉類処理装置および紙葉類処理方法として、帯封紙幣の処理を行う帯封紙幣処理装置４０に用いられてもよい。この場合には、帯封紙幣処理装置４０において、帯封紙幣の収納を行う帯封紙幣収納部には、当該帯封紙幣収納部に収納されている帯封紙幣を帯封紙幣収納部から１束ずつ繰り出すための繰出機構および繰出機構側に向かって帯封紙幣を押さえる押さえ部材がそれぞれ設けられるようになり、帯封紙幣処理装置４０の制御部は、異常状態検出手段により繰出機構の異常状態が検出されたときに、帯封紙幣収納部に収納されている帯封紙幣から押さえ部材を離間させるよう押さえ部材の駆動部の制御を行うようになる。このような帯封紙幣処理装置４０でも、帯封紙幣収納部に収納されている帯封紙幣を当該帯封紙幣収納部から繰り出す繰出機構の異常状態が検出された場合において操作者がこの帯封紙幣収納部から帯封紙幣を取り出す際に、当該帯封紙幣収納部の扉（図示せず）を一方の片手で開いた状態に保持するとともに、もう一方の片手で帯封紙幣収納部から帯封紙幣を取り出すことができるようになり、この操作者は押さえ部材を手動で移動させる必要がなくなるため、作業性を向上させることができる。
【００７５】
また、本発明に係る紙葉類処理装置および紙葉類処理方法は、紙幣以外の紙葉類（具体的には、例えば小切手や商品券等）の処理を行うものであってもよい。
【符号の説明】
【００７６】
１  貨幣処理機
１０  バラ硬貨処理装置
１２  バラ硬貨入金口
１４  バラ硬貨出金口
２０  包装硬貨処理装置
２２  包装硬貨出金口
３０  バラ紙幣処理装置
３２  バラ紙幣入金口
３２ａ  シャッタ
３４  バラ紙幣出金口
３４ａ  シャッタ
４０  帯封紙幣処理装置
４２  帯封紙幣出金口
５０  操作表示部
１０２  筐体
１１０  紙幣投入部
１１１  押さえ部材
１１２  紙幣繰出部
１１２ａ  フィードローラ
１１２ｂ  ゲートローラ
１１２ｃ  キッカローラ
１１２ｄ  キッカローラ
１１２ｅ  案内ローラ
１１３  押さえ部材駆動部
１１４  入金搬送部
１１６  入金識別部
１１８  表裏反転部
１２０  入金リジェクト部
１３０  一括一時保留部
１３２  金種別一時保留部
１４０  一括紙幣収納庫
１４１  受け部材
１４１ａ  軸
１４２  金種別紙幣収納庫
１４３  押さえ部材
１４３ａ  軸
１４４  紙幣繰出部
１４４ａ  フィードローラ
１４４ｂ  ゲートローラ
１４４ｃ  キッカローラ
１４４ｄ  キッカローラ
１４４ｅ  案内ローラ
１４５  押さえ部材駆動部
１４６  下部搬送部
１４８  出金識別部
１５０  出金搬送部
１５２  バラ紙幣投出部
１５４  出金リジェクト部
１６０  整理一時保留部
１７０  分岐部材
１８０  紙幣検出センサ
１８２  紙幣厚さ検知センサ
１８４  半券検知センサ
１９０  アーム部
２００  制御部
２０２  表示部
２０４  操作部
２０６  異常状態検出手段
２０８  記憶部
３００  下部ユニット
３０２  扉
３０３  窓部
３２０  中間ユニット
３４０  上部ユニット
４４０  紙幣収納庫
４４２  載置板
４４３  押さえ部材
４４４  紙幣繰出部
４４４ａ  フィードローラ
４４４ｂ  ゲートローラ
４４４ｃ  キッカローラ
４４５  押さえ部材駆動部
４４６  紙幣搬送部
５４０  紙幣収納庫
５４３  載置板
５４４  紙幣繰出部
５４４ａ  フィードローラ
５４４ｂ  ゲートローラ
５４４ｃ  キッカローラ
５４５  載置板駆動部
５４６  紙幣搬送部
【図１】
2015184690.tif 000003
【図２】
2015184690.tif 000004
【図３】
2015184690.tif 000005
【図４】
2015184690.tif 000006
【図５】
2015184690.tif 000007
【図６】
2015184690.tif 000008
【図７】
2015184690.tif 000009
【図８】
2015184690.tif 000010
【図９】
2015184690.tif 000011
【図１０】
2015184690.tif 000012
【図１１】
2015184690.tif 000013